【手続補正書】
【提出日】令和1年9月18日(2019.9.18)
【手続補正１】
【補正対象書類名】特許請求の範囲
【補正対象項目名】全文
【補正方法】変更
【補正の内容】
【特許請求の範囲】
【請求項１】
無線通信を行う通信部と、
リレー端末に第１の無線リンクを介して接続されたリモート端末に関する情報を取得し、取得した当該リモート端末に関する情報に基づき、前記リレー端末との間の第２の無線リンクに対して、当該第２の無線リンクを介してデータの受信結果を前記リレー端末から取得するためのリソースを割り当てる通信処理部と、
を備える、通信装置。
【請求項２】
前記通信処理部は、前記第２の無線リンクを介した前記リレー端末との間の通信をスケジューリングし、前記スケジューリングの結果に基づき前記リソースを割り当てる、請求項１に記載の通信装置。
【請求項３】
前記通信処理部は、取得した前記リモート端末に関する情報に基づき、前記リレー端末が前記データの受信結果を通知するためのフォーマットを設定し、設定した当該フォーマットに基づき前記リソースを割り当てる、請求項２に記載の通信装置。
【請求項４】
前記フォーマットの設定は、所定のシグナリングに基づき前記リレー端末に通知される、請求項３に記載の通信装置。
【請求項５】
前記通信処理部は、前記第２の無線リンクに対してリソースプールを割り当てることで、前記リソースを割り当てる、請求項１に記載の通信装置。
【請求項６】
前記通信処理部は、前記リレー端末との間で設定された共通の条件に基づき、当該リレー端末が前記データの受信結果の通知を行うために前記リソースプールから選択する前記リソースを特定する、請求項５に記載の通信装置。
【請求項７】
前記共通の条件は、
前記リモート端末に設定された識別情報と、
前記リモート端末の位置情報と、
前記データの再送回数と、
前記データを送信するパケットに設定された優先度と、
前記リモート端末に設定された優先度と、
のうち少なくともいずれかに関する情報に基づき設定される、
請求項６に記載の通信装置。
【請求項８】
前記リモート端末に関する情報は、
前記リレー端末に接続された前記リモート端末の数と、
前記第１の無線リンクを介した通信のトラフィック量と、
前記第１の無線リンクに割り当てられたトランスポートブロック数と、
前記第１の無線リンクを介した通信に要求される通信品質と、
前記リモート端末に設定された識別情報と、
前記リモート端末に設定された優先度と、
前記リモート端末のバッファ内に記憶されたデータの状態と、
のうち少なくともいずれかに関する情報を含む、
請求項１乃至請求項７の何れか１項に記載の通信装置。
【請求項９】
前記リレー端末は、移動可能に構成される、
請求項１乃至請求項８の何れか１項に記載の通信装置。
【請求項１０】
無線通信を行う通信部と、
第１の無線リンクを介して接続されたリモート端末に関する情報を、第２の無線リンクを介して接続された基地局に通知し、当該通知後に、前記第２の無線リンクに割り当てられたリソースを利用して、データの受信結果を基地局に通知する通知部と、
を備える、通信装置。
【請求項１１】
前記通知部は、複数のリモート端末から送信された前記データの受信結果を多重化して前記基地局に通知する、請求項１０に記載の通信装置。
【請求項１２】
無線通信を行う通信部と、
リモート端末とリレー端末との間の無線リンクを介したデータの送受信に関する情報を、前記リモート端末と前記リレー端末とのうち少なくともいずれかから取得し、前記データの送受信に関する情報を取得した後に、当該情報に対応する前記リモート端末との間の直接的または間接的な通信を制御する通信処理部と、
を備える、通信装置。
【請求項１３】
前記データの送受信に関する情報は、
前記無線リンクに割り当てられたリソースプールの使用状況と、
前記無線リンクの通信品質と、
前記データの送信が失敗した回数と、
のうち少なくともいずれかに関する情報を含む、
請求項１２に記載の通信装置。
【請求項１４】
前記通信処理部は、前記データの送受信に関する情報を取得した後に、当該情報に対応する前記リモート端末と、前記リレー端末と、の間の前記無線リンクを介した通信の設定を制御する、請求項１２または請求項１３に記載の通信装置。
【請求項１５】
前記通信処理部は、前記データの送受信に関する情報を取得した後に、前記リモート端末との間の前記リレー端末を介した通信のモードを制御する、請求項１２乃至請求項１４の何れか１項に記載の通信装置。
【請求項１６】
前記通信処理部は、前記データの送受信に関する情報を取得した後に、前記リレー端末に対して、当該情報に対応する前記リモート端末への前記データの再送を指示する、請求項１２乃至請求項１５の何れか１項に記載の通信装置。
【請求項１７】
前記通信処理部は、前記データの送受信に関する情報を取得した後に、前記無線リンクに割り当てるリソースの設定を制御する、請求項１２乃至請求項１６の何れか１項に記載の通信装置。
【請求項１８】
前記通信処理部は、前記データの送受信に関する情報を取得した後に、当該情報に対応する前記リモート端末との間の通信に利用する無線リンクを切り替える、請求項１２または請求項１３に記載の通信装置。
【請求項１９】
前記リレー端末は、移動可能に構成される、
請求項１２乃至請求項１８の何れか１項に記載の通信装置。
【請求項２０】
無線通信を行う通信部と、
リモート端末とリレー端末との間の無線リンクを介したデータの送受信に関する情報を、基地局に対して直接的または間接的に通知する通知部と、
を備える、通信装置。
【請求項２１】
前記通知部は、前記データの送受信に関する情報を、当該データの受信結果に関連付けて前記基地局に通知する、請求項２０に記載の通信装置。
【請求項２２】
前記通信装置は、前記リレー端末であり、
前記通知部は、前記データの送受信に関する情報を、前記基地局に対して、当該基地局との間の無線リンクを介して通知する、
請求項２０または請求項２１に記載の通信装置。
【請求項２３】
前記データの送受信に関する情報は、前記リモート端末から通知され、
前記通知部は、前記データの送受信に関する情報を通知した前記リモート端末の数に応じて、当該データの送受信に関する情報を前記基地局に通知する、
請求項２２に記載の通信装置。
【請求項２４】
前記通信装置は、前記リモート端末であり、
前記通知部は、前記データの送受信に関する情報を、前記基地局に対して、当該基地局との間の直接的な無線リンクを介した通信と、前記リレー端末を介した通信と、のうち少なくともいずれかの通信に基づき通知する、
請求項２０または請求項２１に記載の通信装置。
【請求項２５】
前記通知部は、前記無線リンクに関する情報に基づき、前記データの受信結果に関する情報を前記基地局に通知する、請求項２０乃至請求項２４の何れか１項に記載の通信装置。
【請求項２６】
前記無線リンクに関する情報は、
前記無線リンクに割り当てられたリソースプールの使用状況と、
前記無線リンクの通信品質と、
前記データの送信が失敗した回数と、
のうち少なくともいずれかに関する情報を含む、
請求項２５に記載の通信装置。
【請求項２７】
前記通知部は、あらかじめ設定された期間中に取得された情報に基づき、前記データの送受信に関する情報を前記基地局に通知する、請求項２０乃至請求項２６の何れか１項に記載の通信装置。
【請求項２８】
前記リレー端末は、移動可能に構成される、
請求項２０乃至請求項２７の何れか１項に記載の通信装置。
【請求項２９】
コンピュータが、
無線通信を行うことと、
リレー端末に第１の無線リンクを介して接続されたリモート端末に関する情報を取得し、取得した当該リモート端末に関する情報に基づき、前記リレー端末との間の第２の無線リンクに対して、当該第２の無線リンクを介してデータの受信結果を前記リレー端末から取得するためのリソースを割り当てることと、
を含む、通信方法。
【請求項３０】
コンピュータが、
無線通信を行うことと、
第１の無線リンクを介して接続されたリモート端末に関する情報を、第２の無線リンクを介して接続された基地局に通知し、当該通知後に、前記第２の無線リンクに割り当てられたリソースを利用して、データの受信結果を基地局に通知することと、
を含む、通信方法。
【請求項３１】
コンピュータが、
無線通信を行うことと、
リモート端末とリレー端末との間の無線リンクを介したデータの送受信に関する情報を、前記リモート端末と前記リレー端末とのうち少なくともいずれかから取得し、前記データの送受信に関する情報を取得した後に、当該情報に対応する前記リモート端末との間の直接的または間接的な通信を制御することと、
を含む、通信方法。
【請求項３２】
コンピュータが、
無線通信を行うことと、
リモート端末とリレー端末との間の無線リンクを介したデータの送受信に関する情報を、基地局に対して直接的または間接的に通知することと、
を含む、通信方法。